(57)【特許請求の範囲】
【請求項１】
脚で支持された座受け部に固定された背支柱体と、背面側部材を有すると共に後傾動自在な背もたれとを備えており、前記背もたれは、傾動支点を前進させて沈み込みながら後傾するロッキング椅子であって、
前記背もたれにおける背面側部材の内側が、前記背もたれの傾動支点が前後動することを許容しつつ上下動するように前記背支柱体の上部に対して連結部にて連結されており、かつ、前記背もたれの傾動状態及び非傾動状態のいずれの状態においても、前記背支柱体の上部に対して前記背面側部材の背面側が被さっている、
ロッキング椅子。
【請求項２】
前記背面側部材と前記背支柱体との前記連結部は、上下長手の溝または孔とこれに嵌まったピンとで構成されている、
請求項１に記載のロッキング椅子。
【請求項３】
前記背面側部材には背面視で縦長の開口部が形成され、この開口部が前記背支柱体にて塞がれている、
請求項１または２に記載のロッキング椅子。
【請求項４】
座を支持するベースに対して傾動支点を前進させて後傾動する背もたれを備えており、前記背もたれは、前記座の後方かつ前記傾動支点よりも後ろ側に移動不能に設けた固定側連結部と前記背もたれに設けた可動側連結部とから成る連結部により、傾動支点を前進させて沈み込みながら後傾することが許容されており、前記固定側連結部と可動側連結部とは、いずれか一方は上下長手の溝又は孔で他方はこれに嵌まるピンになっているロッキング椅子であって、
前記背もたれは背面側部材を備えており、前記背もたれの傾動状態及び非傾動状態のいずれの状態においても、前記連結部が前記背面側部材で後ろから覆われている、
ロッキング椅子。
【発明の詳細な説明】
【技術分野】
【０００１】
本願発明は、背もたれが沈み込みながら後傾するロッキング椅子に関するものである。
【背景技術】
【０００２】
背もたれが後傾動するロッキング椅子のタイプとして、背もたれの背面を支持する背支柱の基部が、脚で支持された座受け部に対して移動可能に連結され、座受け部と背支柱とう間に連結されたバネ力に抗して背もたれが沈み込みながら後傾する構成のものがあり、特許文献１や２の他、多数開示されている。
【０００３】
別のタイプとして、例えば特許文献３では、座受け部（シャーシ）には上面に座クッションを有する中間金具が前後動可能に配置され、この中間金具に側面視でＬ字状のガイドトラックの基部が固定され、一方、座受け部の後端部に側面視でＬ字状の背支柱の基部が固定され、この背支柱は上記背もたれの背面側においてガイドトラックを挟んで後ろ側に配置されている。
そして、背もたれの背面に設けられた上下スライド部に対して横ピンを介して背支柱が上下動可能に装着されている。他方、背もたれの背面に下向きに延びるブラケット部材の下方に取付けられた横ピンの両側のコロが、上記上下スライド部より下方において、ガイドトラックの上下方向に延びるガイド溝に転動可能に嵌まった構成が開示されている。この構成によれば、着座した人が背もたれに凭れ掛かると、背もたれが後傾しつつ下降すると共に、座は全体的に前進動する。
【先行技術文献】
【特許文献】
【０００４】
【特許文献１】特開２０００−２３６９７７号公報
【特許文献２】特開２００９−１６５６５９号公報
【特許文献３】米国特許出願公開公報：ＵＳ２００９／０１５２９２１Ａ１
【発明の概要】
【発明が解決しようとする課題】
【０００５】
しかしながら、この特許文献３の構成によれば、背支柱の上端部の横ピンが上下スライド部に対して上下動可能に装着されており、且つこの部分（可動部）が背もたれの背面において外部に露出しているため、背もたれの背面側の外観（美観、デザイン性））が劣る他、背もたれの背面に接触した人の衣服が、上下スライド部と横ピンとの隙間に絡まったり、この部分（可動部）に不用意に人の指が近づいたとき、この可動部に指が挟まれて怪我をするおそれがあった。
【０００６】
本願発明は、このような従来技術の問題を解決すべくなされたものである。
【課題を解決するための手段】
【０００７】
本願請求項１の発明は、脚で支持された座受け部に固定された背支柱体と、背面側部材を有すると共に後傾動自在な背もたれとを備えており、前記背もたれは、傾動支点を前進させて沈み込みながら後傾するロッキング椅子であって、前記背もたれにおける背面側部材の内側が、前記背もたれの傾動支点が前後動することを許容しつつ上下動するように前記背支柱体の上部に対して連結部にて連結されており、かつ、前記背もたれの傾動状態及び非傾動状態のいずれの状態においても、前記背支柱体の上部に対して前記背面側部材の背面側が被さっているものである。
【０００８】
請求項２の発明は、請求項１に加えて、前記背面側部材と前記背支柱体との前記連結部は、上下長手の溝または孔とこれに嵌まったピンとで構成されているものである。
【０００９】
請求項３に記載の発明は、請求項１また２に記載のロッキング椅子において、前記背面側部材には背面視で縦長の開口部が形成され、この開口部が前記背支柱体にて塞がれているものである。
請求項４の発明は、  座を支持するベースに対して傾動支点を前進させて後傾動する背もたれを備えており、前記背もたれは、前記座の後方かつ前記傾動支点よりも後ろ側に移動不能に設けた固定側連結部と前記背もたれに設けた可動側連結部とから成る連結部により、傾動支点を前進させて沈み込みながら後傾することが許容されており、前記固定側連結部と可動側連結部とは、いずれか一方は上下長手の溝又は孔で他方はこれに嵌まるピンになっているロッキング椅子であって、
前記背もたれは背面側部材を備えており、前記背もたれの傾動状態及び非傾動状態のいずれの状態においても、前記連結部が前記背面側部材で後ろから覆われている。
【発明の効果】
【００１０】
請求項１に記載の発明によれば、脚で支持された座受け部に固定された背支柱体に対して、背もたれが沈み込みながら後傾するロッキング椅子であるので、ロッキング状態であっても、背もたれの後傾角度に対して背もたれの上部の後傾移動量が少ないので、着座者が後ろに大きく反ることがない。
【００１１】
そして、請求項１の発明によれば、前記背もたれにおける背面側部材の内側は、当該背面側部材が前記背支柱体の上部に対して上下動可能となるような連結部にて連結されていることと、前記背もたれのノーマル状態（非ロッキング状態）及びロッキング状態のいずれの状態においても、前記背支柱体の上部に対して前記背面側部材の背面側が被さっているものであるから、背もたれの姿勢の如何に拘らず、背面側部材と背支柱体の上部との上下動可能な連結部が常に背面側部材にて隠されていることになるから、椅子の背面側の外観が向上するという効果を奏する。また、背もたれの背面に接触した人の衣服が、上記連結部の隙間に絡まったり、この部分（可動部）に不用意に人の指が近づいたとき、この可動部に指が挟まるなどのおそれがなくなるという効果を奏する。
【００１２】
請求項２の発明によれば、前記背面側部材と前記背支柱体との連結部は、上下長手の溝または孔とこれに嵌まったピンとからなるので、連結部の構成が極めて簡単で、且つコンパクトにできる。
【００１３】
請求項３に記載の発明によれば、背もたれの姿勢の如何に拘らず、開口部と背支柱体との間に大きな隙間が発生しないから、背もたれの背面に接触した人の衣服が隙間に絡まったり、この部分に不用意に人の指が近づいたとき、この隙間に指が挟まるなどのおそれがなくなるという効果を奏する。
【図面の簡単な説明】
【００１４】
【図１】第１実施形態に係るロッキング椅子の全体の前面側斜視図である。
【図２】（Ａ）はノーマル状態の縦断側面図、（Ｂ）はロッキング（後傾）状態の縦断側面図である。
【図３】背面側の斜視図である。
【図４】背支持カバー体を外した状態の背面側の斜視図である。
【図５】背クッション、背アウターシェル、背インナーシェル及び背支持カバー体とを分離した斜視図である。
【図６】座ベースを二点鎖線で示す座ベース内の構造を示す側面図である。
【図７】背アウターシェルと座アウターシェルの重複部を示す下面側斜視図である。
【図８】図７の上面側斜視図である。
【図９】座アウターシェルから座インナーシェルを分離した状態の上面側斜視図である。
【図１０】座インナーシェルの下面側斜視図である。
【図１１】座アウターシェル、座受け部、背支柱体などを示す斜視図である。
【図１２】座受け部から座上金具などを外した状態の斜視図である。
【図１３】背支持カバー体の内面側を示す斜視図である。
【図１４】背アウターシェル、背支柱体などの座受け部に対する連結部を示す一部切欠き斜視図である。
【図１５】図１４の XV-XV視断面図である。
【図１６】背アウターシェル、背支柱体、スライドガイド部材を示す斜視図である。
【発明を実施するための形態】
【００１５】
次に、本願発明の実施形態を図面に基づいて説明する。図１〜図１６は第１実施形態を示しており、以下、順次説明する。なお、以下の説明で方向を示すため「前後」「手前」「後ろ」「左右」といった文言を使用するが、これらの文言はロッキング椅子（以下、単に椅子と称する）に着座した人の姿勢を基準にしている。「正面視」は着座者と対向した方向から見た状態になる。
【００１６】
＜第１実施形態の概要＞
図１は椅子全体の前面側斜視図であり、まず、図１及び図３に基づいて概要を説明する。本実施形態の椅子は事務用のいわゆる回転椅子に適用しており、椅子は、主要要素として、脚装置１（請求項にいう脚に相当）、座受け部２、座３、背もたれ４、背支柱体５、肘掛け装置７を有している。
【００１７】
ガスシリンダより成る脚支柱６は従来から周知の構成の脚装置１の一部を構成するものであり、脚支柱６は、放射状に延びる複数本（一般に５本）の枝足を有する脚本体の中心部に嵌着されている。肘掛け装置７はオプション部品であり、ベース９（後に詳述する）の左右両側に基端部が着脱可能に取付けられて座３の左右両側に立設されたものである。肘掛け装置７は本発明の要部でないため、詳細な説明は省略する。なお、肘掛け装置７を取り外した状態では、着脱可能な樹脂カバー８にてベース９の左右両側の肘掛け取付け部９ｄが覆われている（図６、図７等参照）。
【００１８】
座受け部２は、脚支柱６の上端に固定された上向き開放された筐状の座ベース９と、座座ベース９の上端に対して前後スライド自在に取り付けられた座上金具１０とを有している（図２、図６、図１１、図１２等参照）。
【００１９】
座３は、座上金具１０の上面に取付けられた座アウターシェル１１と、座アウターシェル１１の上面に取付けられる座インナーシェル１２と、座インナーシェル１２の上面に取付けられる座クッション体１３とを備えている（図２、図９、図１０等参照）。座アウターシェル１１及び座インナーシェル１２はＰＯＭ、ＰＰ等の合成樹脂材を素材とした射出成形品であるが、金属製または木製であっても良い。
【００２０】
座インナーシェル１２は、座前部１２ａと座後部１２ｂとを有し、座前部１２ａと座後部１２ｂとの間は座３の左右方向に長い多数のスリット１２ｃを有する。スリット１２ｃは、着座者の体圧が強く作用する部分を中心にして多数形成されている（図８〜図１０参照）。なお、図１０に示すように、数箇所のスリット１２ｃの下面を跨ぐように、断面上向きＵ字状の補強部１２ｄが座インナーシェル１２の下面側に連設されている。このスリット１２ｃの群により、着座者の体圧によって下向きに伸び変形することが許容されており、その結果、高いフィット性が得られる。
また、座インナーシェル１２は、座３に対応して座前部１２ａと座後部１２ｂとが多数のスリット１２ｃを有する屈曲可能領域を介して連設されているので、座３が屈曲することが許容されている。座３の屈曲の中心線（折り目線）は、おおよそ着座者の尾てい骨が当たる箇所或いはそれより僅かに前のあたりに設定している。なお、座前部１２ａと座後部１２ｂとはヒンジ（不図示）にて連結された別パーツの構成としても良い。さらに、座後部１２ｂは、後述する背アウターシェル１４の基部１４ｂに係合または連結されているので、背アウターシェル１４が沈み込みながら後傾するとき、座後部１２ｂのみが下方に沈むように屈曲できる。
【００２１】
背もたれ４は、背アウターシェル１４と、背アウターシェル１４の前面に取付けられる背インナーシェル１５と、背インナーシェル１５の前面に取付けられる背クッション体１６とを備えている（図２、図３〜図９、図１１、図１２等参照）。背アウターシェル１４及び背インナーシェル１５は、ＰＯＭ、ＰＰ等の合成樹脂材を素材とした射出成形品である。背面側部材の一例としての背アウターシェル１４は、側面視Ｌ字状に形成され、背インナーシェル１５を支持する本体部１４ａと、この本体部１４ａの下端から前方向に延設される基部１４ｂとからなる。
【００２２】
実施例では、背支柱体５は、側面視Ｌ字状に形成された左右一対のパイプ部材１７ａを有する背支柱１７と、該背支柱１７の裏面側を覆う着脱可能な背支柱カバー体１８とを備えている。なお、別実施例として、背支柱体５を構成する背支柱１７と背支柱カバー体１８とが、例えば樹脂材やアルミ成形品にて一体的に形成されている形態であっても良い。
【００２３】
背支柱体５における一対のパイプ部材１７ａの基部は、金属製の座ベース９の内面に固定されたベース基板１９に溶接などにて固定され、さらに補強金具２０を被せてベース基板１９に溶接などにて固定されている（図６、図１５等参照）。これに加えてねじ止めしても良い。
【００２４】
座ベース９は上向き開口の箱状の形態であり、その後部内面に金属製のベース基板１９が溶接によって固着されている。座ベース９の後端は開放されている。座ベース９とベース基板１９に固着されたブッシュ２１に、脚支柱６の上端を嵌着している。脚支柱６（ガススプリング）のプッシュバルブを操作する昇降レバー２２と、背もたれ４をロッキング動作不可状態とロッキング動作可能状態とに切り換える操作レバー２３とが、座ベース９の左右両側に突出するように設けられている（図３、図１４等参照）。
【００２５】
座ベース９における左右両側板９ａには、前後方向に長い長孔２４を設け、この長孔２４に樹脂製のブッシュ２４ａを装着している。この左右両ブッシュ２４ａを左右に貫通し、且つ前後方向に摺動可能になるように、連結軸２５が配置されている（図６、図１２、図１４、図１５等参照）。
【００２６】
座インナーシェル１２が上面にてネジ止めされる平板状の座上金具１０の後端部の左右両側には、連結軸２５に被嵌する取付け孔２６が設けられている。また、座上金具１０の後端部であって左右方向の中間位置には、後述するロッキングバネ３０の後端に嵌合する後部バネ受け体３１ａを支持するための支持片２９が下向きに延設されている（図２、図１２、図１５等参照）。そして、座ベース９における左右両側板９ａの上端に左右外向きの水平片９ｂを一体に設けて、この水平片９ｂに、断面コ字状で抱持部が形成された樹脂製のスライダ部材２８が外嵌して固定されている。
座上金具１０における左右両側の断面コ字状のスライダ装着部２７は、スライダ部材２８に被嵌して、座上金具１０が座ベース９に対して前後摺動可能に構成されている。座ベース９の前面板９ｃの内面に固定された前部バネ受け体３１ｂには、ロッキングバネ３０の前端が嵌合している。このロッキングバネ３０の付勢力により、座上金具１０、ひいては座３全体を座受け部２に対して椅子の後方に付勢しているものである。
【００２７】
座ベース９における左右両側板９ａの外側において、背アウターシェル１４の下端基部１４ｂの前端に設けられた左右一対の軸受部３２と、上記座上金具１０における左右一対の取付け孔２６とが、連結軸２５に対して被嵌している。取付け孔２６は左右両側板９ａの外側に対して離間した位置に配置され、軸受部３２は外側に接近して配置されている（図１２、図１４、図１６参照）。なお、図１２、図１４では、連結軸２５の様子を見せるため、あえて連結軸２５に対して座上金具１０を外した状態で図示している。
【００２８】
これらにより、ロッキング動作時の背もたれ４が後傾するとき、座上金具１０が前方向に移動する。そして、これらの荷重をロッキングバネ３０にて弾性的に支持することになる。
【００２９】
なお、座インナーシェル１２の下面側に係合連結された座アウターシェル１１にて、座ベース９における左右両側板９ａの外側の上部寄り部位と座上金具１０の下方とが覆われていると共に、長孔２４やブッシュ２４ａも外側から覆われる。また、座アウターシェル１１の後端には、連結軸２５の両端部を覆うカバー部３３が一体的に形成されている（図７参照）。これにより、連結軸２５が座ベース９から軸方向に抜け出さないように構成されている。さらに、座アウターシェル１１の後端には、背アウターシェル１４の下端基部１４ｂの前端縁に対して上方から適宜寸法だけ重なる段部３４が形成されている（図９参照）。      
【００３０】
座ベース９内に固定された基部受け（不図示）に、ロックアーム３４が上下方向に回動可能に装着されている。ロックアーム３４の自由端側には、操作レバー２３の先端クランク部２３ａが嵌まる長孔３５が形成されている（図６参照）。
操作レバー２３の回動操作にて、先端クランク部２３ａにて長孔３５を介してロックアーム３４を押し上げて、ロックアーム３４の自由端側を上昇させると、当該ロックアーム３４の上面に凹み形成されたストッパ係合部３４ａ（図６、図１４参照）に連結軸２５が嵌まり、この連結軸２５の前進動を阻止する。これにより、座上金具１０、ひいては座３の前進動を阻止することができると共に背もたれ４の後傾動を阻止し、ロッキング動作不可状態となる。
図６に示すように、ロックアーム３４を伏せ姿勢にすると、ストッパ係合部３４ａが連結軸２５から外れ、連結軸２５の前進動を許容する。これにより、座上金具１０、ひいては座３の前進動を許容することができると共に背もたれ４の沈み込みながらの後傾動を許容し、ロッキング動作可能状態となる。
【００３１】
次に、背面側部材の一例としての背アウターシェル１４と、背支柱体５との連結構造について説明する。本願発明では、後述するように、開口部４０は背面視で縦長に形成され、背もたれ４のノーマル状態及びロッキング状態のいずれの状態においても、背支柱体５にて開口部４０が塞がれている。また、背支柱体５に対する背アウターシェル１４の装着時には、背支柱体５（特に背支柱カバー体１８）の少なくとも上部側が開口部４０を介して背アウターシェル１４の内面側へ通過し得るように形成されているものである。
【００３２】
例えば、背アウターシェル１４の左右中央側における基部１４ｂの前端から本体部１４ａの上下方向中途高さ位置まで連続して延びるように、開口部４０が形成されている。但し、基部１４ｂの前後方向の中途部及び本体部１４ａの上下方向中途部は、背アウターシェル１４の内面側で開口部４０を跨ぐように、複数の連結部材４１にて一体的に接続されている（図３〜図５、図７、図１１、図１２、図１４参照）。これにより、開口部４０で離間された背アウターシェル１４の左右部材が不用意に変形しないようになっている。また、開口部４０の外周であって、背アウターシェル１４の内面には、その剛性を向上させるために、枡目状の多数の補強リブ４２が一体的に形成されている。
【００３３】
背支柱体５における背支柱１７の上端部には背アウターシェル１４に対する連結のための横ピン４３（請求項にいうピンで固定側連結部に相当）が固定され、横ピン４３の左右両端部が外側に露出している。他方、背アウターシェル１４における開口部４０のうち、本体部１４ａ側にて上下に延びる左右の側縁に沿って、上下長手の左右一対の取付け溝４４が互いに向かい合う位置に形成されている。
各取付け溝４４には、凹み形成された摺動溝４５ａ（請求項にいう上下長手の溝または孔で可動側連結部に相当）を有するガイド部材４５が嵌まる（図２、図４、図６、図８、図９、図１１、図１２、図１４〜図１６参照）。実施例では、図示のように、摺動溝４５ａは上下長手であり、且つ緩やかな円弧状に形成されている。この円弧の中心は背クッション体１６側（椅子の手前側）に位置している。
【００３４】
ガイド部材４５は、金属製の横ピン４３の両端部との摺動抵抗が少なく、且つ耐摩耗性を有する高機能樹脂製であっても良いし、横ピン４３との摺動部にフッ素コーティングを施した金属部材であっても良い。背支柱１７に対して背アウターシェル１４を装着する際に、ガイド部材４５を背アウターシェル１４の内面に固定できる構成を採用しても良い。なお、別実施例として、背アウターシェル１４に直接、上下長手の摺動溝４５ａや上下長手の孔を形成しても良いし、逆に、ガイド部材４５を背支柱体５側に設け、横ピン４３を背アウターシェル１４（背面側部材）に設けても良い。
【００３５】
背支柱１７に対して背支柱カバー体１８が着脱可能に取付けられている。図１３に示すように、背支柱カバー体１８の内面には、一対のパイプ部材１７ａのそれぞれを支持するためのＵ字状の嵌合溝４６ａが切欠き形成された支持リブ４６が複数個所に形成されている。Ｕ字状溝４６ａの開口端の巾寸法はパイプ部材１７ａの直径より若干狭く形成されており、その近傍に配置された抜け止め爪４７が設けられているため、支持リブ４６からパイプ部材１７ａが容易に脱落しない。また、背支柱カバー体１８の左右両側板には、横ピン４３の両端部を回避するための切欠き部４８が形成されている。さらに、背支柱カバー体１８の内面の上部には下向きに開放された筐状の嵌合部４９が形成され、背支柱カバー体１８の内面の下部には係合爪部５０が設けられている。
【００３６】
従って、背支柱１７に対して背支柱カバー体１８を強固に取り付けるには、図１５に示すように、一対のパイプ部材１７ａの上端どうしを繋ぐ補強ブラケット５１の上端に嵌合部４９を上方から被嵌する一方、係合爪部５０をベース基板１９の後端の立ち上げ片に穿設された係合孔（符号無し）に押し込んで係合すれば良い。なお、背支柱１７に対して背アウターシェル１４を前側から接近させて、開口部４０における一対のガイド部材４５に対して上記横ピン４３の両端部を嵌め入れる。次いで、背アウターシェル１４の基部１４ｂにおける軸受部３２及び上座金具１０の取付け孔２６と、座ベース９のブッシュ２４の長孔とを位置合わせし、連結軸２５をこれらに通して連結する。
【００３７】
背支柱１７に対して背支柱カバー体１８を先に取り付けした後、背アウターシェル１４を背支柱１７に取り付けし（図１６参照）、さらにそののち背インナーシェル１５を背アウターシェル１４に固定する順序が好ましい。背支柱１７に対して背支柱カバー体１８を後で取り付けしても良い。図４はこの様子を示す。
【００３８】
ガイド部材４５の上端の配置位置は、開口部４０の上縁４０ａ（図２〜図４、図７、図１５等参照）よりも高い（上）位置に設定されている。
【００３９】
そして、横ピン４３がガイド部材４５に対して上下動可能な軸連結されていることにより、背もたれ４における背アウターシェル１４の内面側（背アウターシェル１５との間の空間）が、背支柱体５の上部に対して上下動可能に連結され、背もたれ４のノーマル状態（図２（Ａ）参照）及びロッキング状態（図２（Ｂ）参照）のいずれの状態においても、背支柱体５の上部に背アウターシェル１４の背面側（本体部１４ａ）が被さっていることになる。従って、横ピン４３とガイド部材４５による上下動可能な連結部が常時背アウターシェル１４にて隠されているから、椅子の背面側の外観が向上するという効果を奏する。
特に、図１５に示すように、背もたれ４がノーマル状態において、背支柱体５（背支柱１７に背支柱カバー体１８が取付けられたもの）の上端１８ａが、背アウターシェル１４の内面側に位置した状態で、開口部４０の上縁４０ａと寸法Ｈ１だけ重なり、且つ上端１８ａが背アウターシェル１４の本体部１４ａの内面に近接した位置にあるため、本体部１４ａの開口部４０（特に上縁４０ａ近傍）に人の指が触れても、当該指が背アウターシェル１４と背支柱体５（背支柱カバー体１８）との隙間に挟まることがない。勿論人の衣服が上記隙間に挟まることもない。
【００４０】
背もたれ４のロッキング状態においては、姿勢が一定の背支柱体５に対して背もたれ４が沈み込みながら後傾する。このときも背支柱体５の上部に対して背アウターシェル１４の背面側が被さっていることになる（図２（Ｂ）参照）。その場合、背支柱体５の上部（背支柱カバー体１８の上部）が背アウターシェル１４の内面側（背アウターシェル１５との間の空間）に大きく入り込むことになるが、開口部４０の上縁４０ａに対して背支柱カバー体１８の背面が近接して隙間が生じないように、当該背支柱カバー体１８の背面形状を設計するべきである。ロッキング状態とは、背もたれ４が実質的に直立となるノーマル状態から最大後傾姿勢までの途中の後傾姿勢をも含む意味である。
【００４１】
さらに、背もたれ４のノーマル状態（図２（Ａ）参照）及びロッキング状態（図２（Ｂ）参照）のいずれの状態においても、開口部４０の上下方向に延びる側縁と、背支柱カバー体１８の上下方向に延びる側面との間にできる隙間が極力小さくするように設定することが好ましい。背アウターシェル１４の背面側に接近または接触した人の衣服などが上記隙間に挟まらないようにするためである。
【００４２】
さらに、背もたれ４のノーマル状態（図２（Ａ）参照）及びロッキング状態（図２（Ｂ）参照）のいずれの状態においても、椅子の側面投影視において、背支柱カバー体１８の側面の一部と背アウターシェル１４の背面とが重なって、両者間に隙間が生じないようにに、背支柱カバー体１８及び背アウターシェル１４の形状が形成されている。
【００４３】
なお、背アウターシェル１４と背インナーシェル１５との重ね連結（重ね接合）、及び座アウターシェル１１と座インナーシェル１２との重ね連結（重ね接合）の構成は、従来から公知の雄型係合部と雌型係合部との嵌め合わせ構造を採用している。また、これらインナーシェルとアウターシェルとの位置合わせ保持のためには、従来から公知の位置ずれの防止手段（ストッパ手段）を用いる。
【００４４】
他の実施例として、背クッション体１６とその背面側を支持する背面側部材との間の空間内に、背支柱体の上部との上下動可能な連結部が設けられていても良い。
【００４５】
さらに、背面側部材の他の実施例として、背クッション体１６の背面を支持する背部材の背面に側面視Ｌ字状のフレームが固着されたものがある。このフレームは金属製であっても良い。
すなわち、まず、左右一対の側面視Ｌ字状の縦フレーム部とこの縦フレーム部の上端間を繋ぐ上フレーム部とからなる背面矢視で門形のフレームを構成し、この門形のフレームを背部材の左右中央部に固定する。更に、左右一対の縦フレーム部と上フレーム部で囲まれた部位を開口部４０とする。そして、左右一対の縦フレーム部の下端基部を座ベース９方向に延設し、その下端基部の前端後述する連結軸２５に回動可能に連結する構成とする。かつ、座ベース９に固定された背支柱体５は上記開口部４０内に配置され、背支柱体５の上部と左右一対の縦フレーム部の内側上部との間に上下動可能な連結部が設けられた構成とするものである。この構成によっても、背もたれの姿勢の如何に拘らず、背面側部材（＝背部材とフレーム）と背支柱体の上部との上下動可能な連結部が常に背面側部材にて隠されていることになる。
【符号の説明】
【００４６】
１  脚装置
２  座受け部
３  座
４  背もたれ
５  背支柱体
９  座ベース
１０  座上金具
１１  座アウターシェル
１２  座インナーシェル
１３  座クッション体
１４  背面側部材を構成する背アウターシェル
１４ａ  本体部
１４ｂ  基部
１５  背インナーシェル
１６  背クッション体
１７  背支柱体の背支柱
１７ａ  パイプ部材
１８  背支柱体のの背支柱カバー体
１９  座ベース
２４  （長い摺動溝を有する）ブッシュ
２５  連結軸
３０  ロッキングばね
４０  開口部
４３  横ピン（固定側連結部）
４５  ガイド部材
４５ａ  摺動溝（可動側連結部）
【図１】
0005514509.tif 000002
【図２】
0005514509.tif 000003
【図３】
0005514509.tif 000004
【図４】
0005514509.tif 000005
【図５】
0005514509.tif 000006
【図６】
0005514509.tif 000007
【図７】
0005514509.tif 000008
【図８】
0005514509.tif 000009
【図９】
0005514509.tif 000010
【図１０】
0005514509.tif 000011
【図１１】
0005514509.tif 000012
【図１２】
0005514509.tif 000013
【図１３】
0005514509.tif 000014
【図１４】
0005514509.tif 000015
【図１５】
0005514509.tif 000016
【図１６】
0005514509.tif 000017